(57)【要約】  本開示は、伝送リソース指示方法、装置および記憶媒体を提供する。当該指示方法は、Ｎ回の伝送を目標指示ルールに基づいて選択し、選択したＮ回の伝送に対応する同一データパケットのデータ情報のＮ個の伝送リソースを特定することと、特定したＮ個の伝送リソースを前記制御情報で送信することとを含む。【選択図】  図１
2019528608.tif 000002
【特許請求の範囲】
【請求項１】
Ｎ回の伝送を目標指示ルールに基づいて選択し、選択したＮ回の伝送に対応する同一データパケットのデータ情報のＮ個の伝送リソースを特定することと、
前記特定したＮ個の伝送リソースを制御情報で送信することと
を含み、
Ｎは、２以上の整数であり、伝送リソースの制御情報で指示可能な最大伝送回数を示す伝送リソース指示方法。
【請求項２】
前記Ｎ回の伝送を目標指示ルールに基づいて選択する前に、
１つまたは複数の指示ルールである所定の指示ルールをネットワーク側から受信することと、
前記所定の指示ルールから１つの指示ルールを目標指示ルールとして選択することとをさらに含む請求項１に記載の方法。
【請求項３】
前記所定の指示ルールが複数の指示ルールである場合、前記特定したＮ個の伝送リソースを前記制御情報で送信する際に、
ノードが使用している目標指示ルールを指示することに用いられる指示情報を前記制御情報で送信することをさらに含む請求項２に記載の方法。
【請求項４】
前記データ情報の伝送リソースは、データ情報の時間領域リソースおよびデータ情報の周波数領域リソースを含む請求項１に記載の方法。
【請求項５】
選択した前記Ｎ回の伝送は、現在の伝送を含むＮ回の伝送である請求項１に記載の方法。
【請求項６】
選択した前記Ｎ回の伝送は、現在の伝送、および、現在の伝送から順次連続循環ルールまたは奇数／偶数循環ルールまたは所定の循環ルールで選択したＮ−１回の伝送である請求項１または５に記載の方法。
【請求項７】
前記順次連続循環ルールは、
現在の伝送から伝送回数の番号で順に選択し、最後の伝送が選択されると初回伝送にジャンプし、初回伝送から伝送回数の番号で順に選択する請求項６に記載の方法。
【請求項８】
前記奇数／偶数循環ルールは、
現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する請求項６に記載の方法。
【請求項９】
前記所定の循環ルールは、
第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択し、
ここで、前記第１ルールは、伝送回数の番号で順に選択し、または、ｍｏｄｕｌｏ  Ｎ１＝Ｍ１の伝送回数の番号で順に選択し、
前記第２ルールは、伝送回数の番号で順に選択し、または、ｍｏｄｕｌｏ  Ｎ２＝Ｍ２の伝送回数の番号で順に選択し、
Ｎ１、Ｎ２、Ｍ１、Ｍ２は、整数であり、かつＮ１＞Ｍ１、Ｎ２＞Ｍ２である請求項６に記載の方法。
【請求項１０】
Ｎ回の伝送を目標指示ルールに基づいて選択し、選択したＮ回の伝送に対応する同一データパケットのデータ情報のＮ個の伝送リソースを特定することに用いられるリソース特定モジュールと、
前記特定したＮ個の伝送リソースを制御情報で送信することに用いられる送信モジュールと
を含み、
Ｎは、２以上の整数であり、伝送リソースの制御情報で指示可能な最大伝送回数を示す伝送リソース指示装置。
【請求項１１】
１つまたは複数の指示ルールである所定の指示ルールをネットワーク側から受信することに用いられる受信モジュールと、
前記所定の指示ルールから１つの指示ルールを目標指示ルールとして選択することに用いられる選択モジュールとをさらに含む請求項１０に記載の装置。
【請求項１２】
前記送信モジュールは、さらに、
前記所定の指示ルールが複数の指示ルールである場合、ノードが使用している目標指示ルールを指示することに用いられる指示情報を前記制御情報で送信することに用いられる請求項１１に記載の装置。
【請求項１３】
前記データ情報の伝送リソースは、データ情報の時間領域リソースおよびデータ情報の周波数領域リソースを含む請求項１０に記載の装置。
【請求項１４】
選択したＮ回の伝送は、現在の伝送を含むＮ回の伝送である請求項１０に記載の装置。
【請求項１５】
選択した前記Ｎ回の伝送は、現在の伝送、および、現在の伝送から順次連続循環ルールまたは奇数／偶数循環ルールまたは所定の循環ルールで選択したＮ−１回の伝送である請求項１０または１４に記載の装置。
【請求項１６】
前記順次連続循環ルールは、
現在の伝送から伝送回数の番号で順に選択し、最後の伝送が選択されると初回伝送にジャンプし、初回伝送から伝送回数の番号で順に選択する請求項１５に記載の装置。
【請求項１７】
前記奇数／偶数循環ルールは、
現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する請求項１５に記載の装置。
【請求項１８】
前記所定の循環ルールは、
第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択し、
ここで、前記第１ルールは、伝送回数の番号で順に選択し、または、ｍｏｄｕｌｏ  Ｎ１＝Ｍ１の伝送回数の番号で順に選択し、
前記第２ルールは、伝送回数の番号で順に選択し、または、ｍｏｄｕｌｏ  Ｎ２＝Ｍ２の伝送回数の番号で順に選択し、
Ｎ１、Ｎ２、Ｍ１、Ｍ２は、整数であり、かつＮ１＞Ｍ１、Ｎ２＞Ｍ２である請求項１５に記載の装置。
【請求項１９】
プロセッサと、
前記プロセッサの制御下でデータを送受信することに用いられるトランシーバとを含む伝送リソース指示装置であって、
前記プロセッサは、
Ｎ回の伝送を目標指示ルールに基づいて選択し、選択したＮ回の伝送に対応する同一データパケットのデータ情報のＮ個の伝送リソースを特定することと、
特定したＮ個の伝送リソースを制御情報で送信することとを実行するように構成され、
Ｎは、２以上の整数であり、伝送リソースの制御情報で指示可能な最大伝送回数を示す伝送リソース指示装置。
【請求項２０】
プロセッサによって実行可能なコンピュータ読取可能な指令が格納されている不揮発性のコンピュータ読取可能な記憶媒体であって、
前記コンピュータ読取可能な指令がプロセッサによって実行されると、
前記プロセッサは、
Ｎ回の伝送を目標指示ルールに基づいて選択し、選択したＮ回の伝送に対応する同一データパケットのデータ情報のＮ個の伝送リソースを特定することと、
特定したＮ個の伝送リソースを制御情報で送信することとを実行し、
Ｎは、２以上の整数であり、伝送リソースの制御情報で指示可能な最大伝送回数を示す不揮発性のコンピュータ読取可能な記憶媒体。
【発明の詳細な説明】
【技術分野】
【０００１】
本開示は、通信技術分野に係り、具体的に伝送リソース指示方法、装置および記憶媒体に係る。
【背景技術】
【０００２】
関連技術において、Ｄａｔａ（データ情報）リソースの時間周波数位置がＳＡ（制御情報）によって指示され、しかも、データの復号成功率を向上させるには、同一データパケットの初回伝送／再送リソースを指示することがあり、例えば、初回伝送の１回伝送と複数回の再送のリソースを指示する必要がある。ＳＡによって初回伝送／再送リソースを全て指示することができれば、受信側は、リソース占用状況をより明確かつ迅速に把握することができるが、実現できないことが多い。その理由の一つとして、ＳＡ  ｐａｙｌｏａｄ（ＳＡペイロード）が制限されることであり、もう一つの理由として、データパケットの最大伝送回数が変更しうることが考えられる。
【０００３】
ブラインド検出の複雑度を低減させるために、ＳＡのペイロードは、特定済みであり、ＳＡで指示される伝送の回数も、特定済みである。通常、ＳＡでは、１つのデータパケットの現在の伝送およびその後の伝送を含む計Ｎ回の伝送の伝送リソースを指示する。しかし、現在の伝送が最後の伝送、または後ろからＮ−１回目伝送であれば、現在の伝送からＳＡによって指示されるＮ回の伝送が残らないため、ＳＡには無効のフィールドが生じてしまい、無駄遣いとなる。しかし、別の角度から、先の伝送は、後の伝送より、指示回数が少なく、例えば、初回伝送は、１回のみ指示される。初回伝送リソースを指示する唯一のＳＡの復号が失敗すれば、初回伝送リソースの位置は、ＳＡの復号によって得られない。さらに、ほかの端末は、リソースを選択する際に、占用済みの初回伝送リソースを確実に除外できず、明らかに伝送の信頼性を低下させる。
【０００４】
上述したように、現在のＳＡ指示方式ではフィールドの無駄遣い問題が存在し、しかも伝送の信頼性が高くない。
【発明の概要】
【発明が解決しようとする課題】
【０００５】
本開示の目的は、関連技術のＳＡ指示方式ではフィールドの無駄遣いが存在しかつ伝送信頼性が高くない問題を解決するために、伝送リソース指示方法および装置を提供することである。
【課題を解決するための手段】
【０００６】
上記目的を実現するために、本開示の伝送リソース指示方法は、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することと、特定したＮ個の伝送リソースを前記制御情報で送信することとを含む。
【０００７】
ここで、前記方法は、前記のＮ回の伝送を目標指示ルールに基づいて選択する前に、１つまたは複数の指示ルールである所定の指示ルールをネットワーク側から受信することと、前記所定の指示ルールから１つの指示ルールを目標指示ルールとして選択することとをさらに含む。
【０００８】
ここで、前記方法は、所定の指示ルールが複数の指示ルールである場合、前記特定したＮ個の伝送リソースを前記制御情報で送信する際に、ノードが使用している目標指示ルールを指示することに用いられる指示情報を前記制御情報で送信することをさらに含む。
【０００９】
ここで、前記データ情報の伝送リソースは、データ情報の時間領域リソースおよびデータ情報の周波数領域リソースを含む。
【００１０】
ここで、選択したＮ回の伝送は、現在の伝送を含むＮ回の伝送である。
【００１１】
ここで、選択したＮ回の伝送は、現在の伝送、および、現在の伝送から順次連続循環ルールまたは奇数／偶数循環ルールまたは所定の循環ルールで選択したＮ−１回の伝送である。
【００１２】
ここで、前記順次連続循環ルールは、現在の伝送から伝送回数の番号で順に選択し、最後の伝送が選択されると初回伝送にジャンプし、初回伝送から伝送回数の番号で順に選択する。
【００１３】
ここで、前記奇数／偶数循環ルールは、現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する。
【００１４】
ここで、前記所定の循環ルールは、第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択する。ここで、前記第１ルールは、伝送回数の番号で順に選択し、または、ｍｏｄｕｌｏ  Ｎ１＝Ｍ１の伝送回数の番号で順に選択する。前記第２ルールは、伝送回数の番号で順に選択し、または、ｍｏｄｕｌｏ  Ｎ２＝Ｍ２の伝送回数の番号で順に選択する。Ｎ１、Ｎ２、Ｍ１、Ｍ２は、整数であり、かつＮ１＞Ｍ１、Ｎ２＞Ｍ２。
【００１５】
本開示の実施例の伝送リソース指示装置は、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することに用いられるリソース特定モジュールと、特定したＮ個の伝送リソースを前記制御情報で送信することに用いられる送信モジュールとを含む。
【００１６】
ここで、前記装置は、１つまたは複数の指示ルールである所定の指示ルールをネットワーク側から受信することに用いられる受信モジュールと、前記所定の指示ルールから１つの指示ルールを目標指示ルールとして選択することに用いられる選択モジュールとをさらに含む。
【００１７】
ここで、前記送信モジュールは、さらに、所定の指示ルールが複数の指示ルールである場合、ノードが使用している目標指示ルールを指示することに用いられる指示情報を前記制御情報で送信することに用いられる。
【００１８】
ここで、前記データ情報の伝送リソースは、データ情報の時間領域リソースおよびデータ情報の周波数領域リソースを含む。
【００１９】
ここで、選択したＮ回の伝送は、現在の伝送を含むＮ回の伝送である。
【００２０】
ここで、選択したＮ回の伝送は、現在の伝送、および、現在の伝送から順次連続循環ルールまたは奇数／偶数循環ルールまたは所定の循環ルールで選択したＮ−１回の伝送である。
【００２１】
ここで、前記順次連続循環ルールは、現在の伝送から伝送回数の番号で順に選択し、最後の伝送が選択されると初回伝送にジャンプし、初回伝送から伝送回数の番号で順に選択する。
【００２２】
ここで、前記奇数／偶数循環ルールは、現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する。
【００２３】
ここで、前記所定の循環ルールは、第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択する。ここで、前記第１ルールは、伝送回数の番号で順に選択し、または、ｍｏｄｕｌｏ  Ｎ１＝Ｍ１の伝送回数の番号で順に選択する。前記第２ルールは、伝送回数の番号で順に選択し、または、ｍｏｄｕｌｏ  Ｎ２＝Ｍ２の伝送回数の番号で順に選択する。Ｎ１、Ｎ２、Ｍ１、Ｍ２は、整数であり、かつＮ１＞Ｍ１、Ｎ２＞Ｍ２。
【００２４】
本開示の実施例の伝送リソース指示装置は、プロセッサと、前記プロセッサの制御下でデータを送受信することに用いられるトランシーバとを含む。前記プロセッサは、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することと、特定したＮ個の伝送リソースを前記制御情報で送信することとを実行するように構成される。
【００２５】
本開示の実施例の不揮発性のコンピュータ読取可能な記憶媒体には、プロセッサによって実行可能なコンピュータ読取可能な指令が格納されている。前記コンピュータ読取可能な指令がプロセッサによって実行されると、前記プロセッサは、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することと、特定したＮ個の伝送リソースを前記制御情報で送信することとを実行する。
【発明の効果】
【００２６】
本開示の実施例の伝送リソース指示方法および装置において、伝送リソースを指示する制御情報で毎回指示する伝送リソースが、当該制御情報で指示可能な最大伝送回数にそれぞれ対応する伝送リソースであるため、制御情報における指示フィールドの無駄遣いが避けられる。同時に、制御情報における指示フィールドを利用して所定のルールで本データパケットに対応するデータ情報の伝送リソースを指示することによって、データパケットの復号成功確率を向上させる。さらに、データ情報の伝送リソースが周期的に占用される前提において、受信ノードは、制御情報の指示に基づいて、リソース占用状況に係る判断の正確率を向上させることができる。
【図面の簡単な説明】
【００２７】
【図１】図１は、本開示の実施例における伝送リソース指示方法の基本的なフローチャートである。
【図２】図２は、本開示の実施例における伝送リソース指示装置の構造図である。
【図３】図３は、本開示の実施例における伝送リソース指示装置の構造図である。
【発明を実施するための形態】
【００２８】
本開示の解決しようとする技術課題、技術手段および利点をより明確にするために、以下図面および具体的な実施例に関連して詳細に記載する。
【００２９】
図１に示すように、本開示の実施例の伝送リソース指示方法は、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定するステップ１１と、特定したＮ個の伝送リソースを前記制御情報で送信するステップ１２とを含む。
【００３０】
なお、制御情報ＳＡとデータ情報ｄａｔａとは、関連関係であり、すなわち、制御情報ＳＡでｄａｔａの伝送リソースを指示する。ＳＡとｄａｔａは、同一サブフレームで送信されてもよく、異なるサブフレームで送信されてもよいが、ＳＡは、それに関連付けられているｄａｔａより遅くならないように送信される必要がある。
【００３１】
本開示の実施例において、Ｎは、ＳＡで指示可能な最大伝送回数であり、すなわち、ＳＡの指示フィールドは、最大でＮ回の伝送のデータ情報にそれぞれ対応する伝送リソースを指示することができる。本開示の実施例において、ＳＡの指示フィールドの無駄遣いを避けるために、ＳＡを送信するたびに、ＳＡにてＮ個の伝送リソースを運ぶ。かつＳＡにて運ばれるＮ個の伝送リソースは、同一データパケットのｄａｔａの伝送リソースである。
【００３２】
例えば、Ｎ＝４の場合、仮にデータパケットが計６回伝送される（１回の初回伝送と５回の再送）必要があり、それらをそれぞれ１回目伝送、２回目伝送、３回目伝送、４回目伝送、５回目伝送、６回目伝送という。目標指示ルールで選択した４回の伝送は、それぞれ、現在の伝送（例えば５回目伝送）、および、あるルールで特定した上記６回の伝送のうちの任意の３回の伝送（例えば６回目伝送、１回目伝送、２回目伝送）である。
【００３３】
また、例えば、Ｎ＝４の場合、仮にデータパケットが計３回伝送される（１回の初回伝送と２回の再送）必要があり、それらをそれぞれ１回目伝送、２回目伝送、３回目伝送という。目標指示ルールで選択した４回の伝送は、それぞれ、現在の伝送（例えば１回目伝送）、および、あるルールで特定した上記３回の伝送のうちの任意の３回の伝送（例えば２回目伝送、３回目伝送、１回目伝送、または、３回目伝送、１回目伝送、３回目伝送）である。
【００３４】
上述のように、本開示の実施例において、目標指示ルールで選択したＮ回の伝送は、異なる伝送回数の伝送を含んでもよく、同一伝送回数の伝送を含んでもよいが、ここでは具体的に限定しない。
【００３５】
具体的に、本開示の上記実施例において、選択したＮ回の伝送は、現在の伝送を含むＮ回の伝送である。
【００３６】
さらに、選択したＮ回の伝送は、現在の伝送、および、現在の伝送から順次連続循環ルールまたは奇数／偶数循環ルールまたは所定の循環ルールで選択したＮ−１回の伝送である。
【００３７】
ここで、順次連続循環ルールは、具体的に、現在の伝送から伝送回数の番号で順に選択し、最後の伝送が選択されると初回伝送にジャンプし、初回伝送から伝送回数の番号で順に選択することによって循環する。
【００３８】
奇数／偶数循環ルールは、具体的に、現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択することによって循環する。
【００３９】
所定の循環ルールは、具体的に、第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択することによって循環する。ここで、前記第１ルールは、伝送回数の番号で順に選択し、または、ｍｏｄｕｌｏ  Ｎ１＝Ｍ１の伝送回数の番号で順に選択する。前記第２ルールは、伝送回数の番号で順に選択し、または、ｍｏｄｕｌｏ  Ｎ２＝Ｍ２の伝送回数の番号で順に選択する。Ｎ１、Ｎ２、Ｍ１、Ｍ２は、整数であり、かつＮ１＞Ｍ１、Ｎ２＞Ｍ２。
【００４０】
具体的に、所定の循環ルールは、ノードまたはネットワーク側で自ら定義される循環ルールであり、主に以下の数種類の方式を含む。
第１ルールは、伝送回数の番号で順に選択し、第２ルールは、伝送回数の番号で順に選択する。この場合、所定の循環ルールは、順次連続循環ルールとは同一である。
または、第１ルールは、伝送回数の番号で順に選択し、第２ルールは、ｍｏｄｕｌｏ  Ｎ２＝Ｍ２の伝送回数の番号で順に選択する。例えば、現在の伝送から、まず伝送回数の番号で順に選択し、最後の伝送が選択されると、１つ目のｍｏｄｕｌｏ  ３＝０の伝送にジャンプし、ｍｏｄｕｌｏ  ３＝０の順で選択することによって循環する。
または、第１ルールは、ｍｏｄｕｌｏ  Ｎ１＝Ｍ１の伝送回数の番号で順に選択し、第２ルールは、伝送回数の番号で順に選択する。例えば、現在の伝送から、まずｍｏｄｕｌｏ  ３＝０の伝送回数の番号で順に選択し、最後のｍｏｄｕｌｏ  ３＝０の伝送が選択されると、初回伝送にジャンプし、初回伝送から伝送回数の番号で順に選択することによって循環する。
または、第１ルールは、ｍｏｄｕｌｏ  Ｎ１＝Ｍ１の伝送回数の番号で順に選択し、第２ルールは、ｍｏｄｕｌｏ  Ｎ２＝Ｍ２の伝送回数の番号で順に選択する。この場合、Ｎが２、Ｍが０であれば、すなわちｍｏｄｕｌｏ  ２＝０の伝送回数の番号で順に選択し、奇数／偶数循環ルールのうちの奇数循環ルールに一致する。一方、Ｎが２、Ｍが１であれば、すなわちｍｏｄｕｌｏ  ２＝１の伝送回数の番号で順に選択し、奇数／偶数循環ルールのうちの偶数循環ルールに一致する。また、例えば、現在の伝送から直接ｍｏｄｕｌｏ  ３＝０の順番で順に選択し、最後のｍｏｄｕｌｏ  ３＝０の伝送に達すると、１つ目のｍｏｄｕｌｏ  ３＝０の伝送にジャンプすることによって循環する。
【００４１】
なお、上記所定の循環ルールは、単に本願の好適な実施例である。それ以外の循環可能な方式は、いずれも本願に適用するが、ここでは具体的に限定しない。
【００４２】
さらに、本開示の実施例のステップ１１の前に、１つまたは複数の指示ルールである所定の指示ルールをネットワーク側から受信するステップ１１０と、前記所定の指示ルールから１つの指示ルールを目標指示ルールとして選択するステップ１１１とをさらに含む。
【００４３】
すなわち、ノードは、現在使用中の目標指示ルールを予め特定する必要がある。ネットワーク側から送信される所定の指示ルールが１つの指示ルールである場合、ネットワークにアクセスするすべてのノードは、当該指示ルール（デフォルトルールと称する）を使用する。ノードに対し使用ルールを毎回通知する必要がない。ノードは、ＳＡを復号する際に、直接デフォルトルールを参照すればよい。しかし、異なるノードおよび／または異なるデータパケットの多様性を満たすために、所定の指示ルールが複数の指示ルールである場合、ノードは、１つの指示ルールを目標指示ルールとして選択する必要があり、ＳＡによる伝送リソースの指示を実現する。
【００４４】
なお、ネットワーク側から送信される所定の指示ルールは、ネットワーク側で予め設定されてもよく、ノードで予め設定されてからネットワーク側に通知されてもよいが、ここでは具体的に限定しない。
【００４５】
具体的に、所定の指示ルールが複数の指示ルールである場合、前記方法は、ノードが使用している目標指示ルールを指示することに用いられる指示情報を前記制御情報で送信することをさらに含む。すなわち、制御情報ＳＡにおいて１つのルール指示フィールドを追加してノードが使用している指示ルールを指示する。具体的に、ノードが使用している目標指示ルールを指示することに用いられる指示情報は、目標指示ルールのＩＤである。例えば「０」で指示ルール１を示す。ＳＡのルール指示フィールドにおいて「０」である場合、ＳＡを解析することによって、使用される指示ルールが指示ルール１であると特定することができる。
【００４６】
本開示の上記実施例における前記データ情報の伝送リソースは、データ情報の時間領域リソースおよびデータ情報の周波数領域リソースを含むことが好ましい。
【００４７】
本開示の伝送リソース指示方法をより明確に記載するために、以下、１つの実例に関連して当該指示情報を記載する。
【００４８】
仮にＳＡで最大４回の伝送を指示可能であり、各データパケットが計６回伝送される。仮にＳＡにおいて１つのフィールドを追加してノードが使用している指示ルールを指示する。
【００４９】
たとえば所定の指示ルールは、以下の８種類を含み、０、１、２、３、４、５、６、７によって、対応する指示ルールを示す。
０は、現在のリソースを指示し、順次連続循環で当該データパケットに対応するほかの伝送リソースを指示することを示す。
１は、現在のリソースを指示し、奇数連続循環で当該データパケットに対応するほかの伝送リソースを指示することを示す。
２は、現在のリソースを指示し、偶数連続循環で当該データパケットに対応するほかの伝送リソースを指示することを示す。
３は、現在のリソースを指示し、順次連続的に当該データパケットに対応する後続伝送リソースを指示し、奇数連続循環で当該データパケットに対応するほかの伝送リソースを指示することを示す。
４は、現在のリソースを指示し、順次連続的に当該データパケットに対応する後続伝送リソースを指示し、偶数連続循環で当該データパケットに対応するほかの伝送リソースを指示することを示す。
５は、現在のリソースを指示し、順次連続的に当該データパケットに対応する後続伝送リソースを指示し、ｍｏｄｕｌｏ  ３＝０の順次連続循環で、当該データパケットに対応するほかの伝送リソースを指示することを示す。
６は、現在のリソースを指示し、順次連続的に当該データパケットに対応する後続伝送リソースを指示し、ｍｏｄｕｌｏ  ３＝１の順次連続循環で、当該データパケットに対応するほかの伝送リソースを指示することを示す。
７は、現在のリソースを指示し、順次連続的に当該データパケットに対応する後続伝送リソースを指示し、ｍｏｄｕｌｏ  ３＝２の順次連続循環で、当該データパケットに対応するほかの伝送リソースを指示することを示す。
【００５０】
ＳＡのルール指示フィールドが０である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および１回目伝送にそれぞれ対応する伝送リソースを指示する。
現在の伝送が５回目伝送であれば、ＳＡで５回目伝送、６回目伝送、１回目伝送および２回目伝送にそれぞれ対応する伝送リソースを指示する。
現在の伝送が６回目伝送であれば、ＳＡで６回目伝送、１回目伝送、２回目伝送および３回目伝送にそれぞれ対応する伝送リソースを指示する。
【００５１】
ＳＡのルール指示フィールドが１である場合、
現在の伝送が１回目伝送であれば、ＳＡで１回目伝送、３回目伝送、５回目伝送および１回目伝送にそれぞれ対応する伝送リソースを指示する。
現在の伝送が２回目伝送であれば、ＳＡで２回目伝送、３回目伝送、５回目伝送および１回目伝送にそれぞれ対応する伝送リソースを指示する。
現在の伝送が３回目伝送であれば、ＳＡで３回目伝送、５回目伝送、１回目伝送および３回目伝送にそれぞれ対応する伝送リソースを指示する。
現在の伝送が４回目伝送であれば、ＳＡで４回目伝送、５回目伝送、１回目伝送および３回目伝送にそれぞれ対応する伝送リソースを指示する。
現在の伝送が５回目伝送であれば、ＳＡで５回目伝送、１回目伝送、３回目伝送および５回目伝送にそれぞれ対応する伝送リソースを指示する。
現在の伝送が６回目伝送であれば、ＳＡで６回目伝送、１回目伝送、３回目伝送および５回目伝送にそれぞれ対応する伝送リソースを指示する。
【００５２】
ＳＡのルール指示フィールドが２である場合、
現在の伝送が１回目伝送であれば、ＳＡで１回目伝送、２回目伝送、４回目伝送および６回目伝送にそれぞれ対応する伝送リソースを指示する。
現在の伝送が２回目伝送であれば、ＳＡで２回目伝送、４回目伝送、６回目伝送および２回目伝送にそれぞれ対応する伝送リソースを指示する。
現在の伝送が３回目伝送であれば、ＳＡで３回目伝送、４回目伝送、６回目伝送および２回目伝送にそれぞれ対応する伝送リソースを指示する。
現在の伝送が４回目伝送であれば、ＳＡで４回目伝送、６回目伝送、２回目伝送および４回目伝送にそれぞれ対応する伝送リソースを指示する。
現在の伝送が５回目伝送であれば、ＳＡで５回目伝送、６回目伝送、２回目伝送および４回目伝送にそれぞれ対応する伝送リソースを指示する。
現在の伝送が６回目伝送であれば、ＳＡで６回目伝送、２回目伝送、４回目伝送および６回目伝送にそれぞれ対応する伝送リソースを指示する。
【００５３】
ＳＡのルール指示フィールドが３である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および１回目伝送にそれぞれ対応する伝送リソースを指示する。
現在の伝送が５回目伝送であれば、ＳＡで５回目伝送、６回目伝送、１回目伝送および３回目伝送にそれぞれ対応する伝送リソースを指示する。
現在の伝送が６回目伝送であれば、ＳＡで６回目伝送、１回目伝送、３回目伝送および５回目伝送にそれぞれ対応する伝送リソースを指示する。
【００５４】
ＳＡのルール指示フィールドが４である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および２回目伝送にそれぞれ対応する伝送リソースを指示する。
現在の伝送が５回目伝送であれば、ＳＡで５回目伝送、６回目伝送、２回目伝送および４回目伝送にそれぞれ対応する伝送リソースを指示する。
現在の伝送が６回目伝送であれば、ＳＡで６回目伝送、２回目伝送、４回目伝送および６回目伝送にそれぞれ対応する伝送リソースを指示する。
【００５５】
ＳＡのルール指示フィールドが５である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および３回目伝送にそれぞれ対応する伝送リソースを指示する。
現在の伝送が５回目伝送であれば、ＳＡで５回目伝送、６回目伝送、３回目伝送および６回目伝送にそれぞれ対応する伝送リソースを指示する。
現在の伝送が６回目伝送であれば、ＳＡで６回目伝送、３回目伝送、６回目伝送および３回目伝送にそれぞれ対応する伝送リソースを指示する。
【００５６】
ＳＡのルール指示フィールドが６である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および１回目伝送にそれぞれ対応する伝送リソースを指示する。
現在の伝送が５回目伝送であれば、ＳＡで５回目伝送、６回目伝送、１回目伝送および４回目伝送にそれぞれ対応する伝送リソースを指示する。
現在の伝送が６回目伝送であれば、ＳＡで６回目伝送、１回目伝送、４回目伝送および１回目伝送にそれぞれ対応する伝送リソースを指示する。
【００５７】
ＳＡのルール指示フィールドが７である場合、
現在の伝送が１回目伝送であれば、ＳＡで１回目伝送、２回目伝送、３回目伝送および４回目伝送にそれぞれ対応する伝送リソースを指示する。
現在の伝送が２回目伝送であれば、ＳＡで２回目伝送、３回目伝送、４回目伝送および５回目伝送にそれぞれ対応する伝送リソースを指示する。
現在の伝送が３回目伝送であれば、ＳＡで３回目伝送、４回目伝送、５回目伝送および６回目伝送にそれぞれ対応する伝送リソースを指示する。
現在の伝送が４回目伝送であれば、ＳＡで４回目伝送、５回目伝送、６回目伝送および２回目伝送にそれぞれ対応する伝送リソースを指示する。
現在の伝送が５回目伝送であれば、ＳＡで５回目伝送、６回目伝送、２回目伝送および５回目伝送にそれぞれ対応する伝送リソースを指示する。
現在の伝送が６回目伝送であれば、ＳＡで６回目伝送、２回目伝送、５回目伝送および２回目伝送にそれぞれ対応する伝送リソースを指示する。
【００５８】
本例において、計８種類のルールが３ｂｉｔによって指示される。１つの所定のルールしかない場合、ＳＡのペイロードを追加する必要がなく、すなわちルール指示フィールドを追加する必要がない。
【００５９】
本開示の上記実施例において、８種類の指示方式が示されている。データ伝送過程において、送信ノードは、１つまたは複数の伝送に対し、自身の検出または第三者のフィードバックによって、復号成功率が低いと発見して再び指示しようとする。受信側で該当回数のデータパケットがバッファされているのであれば、復号の成功率を向上させる可能性がある。受信側において、データパケットがバッファされなくても、少なくともＳＡの復号によって、該当回数の伝送で指示されるリソースの位置を発見し、リソース選択の際にこれらのリソースを明確に避け、リソース衝突確率を低下させる。
【００６０】
上述のように、本開示の実施例は、ＳＡによる伝送リソースの循環的指示方法を提供し、ＳＡで無駄遣いだった指示フィールドを利用することによって、ＳＡペイロードを追加せずまたはわずかに追加することで、データパケットの復号成功確率を向上させる。さらに、伝送リソースが周期的に占用される前提において、受信ノードは、リソース占用状況に係る判断の正確率を向上させることができる。
【００６１】
図２に示すように、本開示の実施例の伝送リソース指示装置は、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することに用いられるリソース特定モジュール２１と、特定したＮ個の伝送リソースを前記制御情報で送信することに用いられる送信モジュール２２とを含む。
【００６２】
具体的に、本開示の実施例の装置は、１つまたは複数の指示ルールである所定の指示ルールをネットワーク側から受信することに用いられる受信モジュールと、前記所定の指示ルールから１つの指示ルールを目標指示ルールとして選択することに用いられる選択モジュールとをさらに含む。
【００６３】
具体的に、本開示の実施例の前記送信モジュールは、さらに、所定の指示ルールが複数の指示ルールである場合、ノードが使用している目標指示ルールを指示することに用いられる指示情報を前記制御情報で送信することに用いられる。
【００６４】
具体的に、本開示の実施例の前記データ情報の伝送リソースは、データ情報の時間領域リソースおよびデータ情報の周波数領域リソースを含む。
【００６５】
具体的に、本開示の実施例の選択したＮ回の伝送は、現在の伝送を含むＮ回の伝送である。
【００６６】
具体的に、本開示の実施例の選択したＮ回の伝送は、現在の伝送、および、現在の伝送から順次連続循環ルールまたは奇数／偶数循環ルールまたは所定の循環ルールで選択したＮ−１回の伝送である。
【００６７】
ここで、前記順次連続循環ルールは、現在の伝送から伝送回数の番号で順に選択し、最後の伝送が選択されると初回伝送にジャンプし、初回伝送から伝送回数の番号で順に選択する。
【００６８】
ここで、前記奇数／偶数循環ルールは、現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する。
【００６９】
ここで、前記所定の循環ルールは、第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択する。ここで、前記第１ルールは、伝送回数の番号で順に選択し、または、ｍｏｄｕｌｏ  Ｎ１＝Ｍ１の伝送回数の番号で順に選択する。前記第２ルールは、伝送回数の番号で順に選択し、または、ｍｏｄｕｌｏ  Ｎ２＝Ｍ２の伝送回数の番号で順に選択する。Ｎ１、Ｎ２、Ｍ１、Ｍ２は、整数であり、かつＮ１＞Ｍ１、Ｎ２＞Ｍ２。
【００７０】
上述のように、本開示の実施例の伝送リソース指示装置は、ＳＡで無駄遣いだった指示フィールドを利用することによって、ＳＡペイロードを追加せずまたはわずかに追加することで、データパケットの復号成功確率を向上させる。さらに、伝送リソースが周期的に占用される前提において、受信ノードは、リソース占用状況に係る判断の正確率を向上させることができる。
【００７１】
なお、本開示の実施例の伝送リソース指示装置は、上記実施例の伝送リソース指示方法を応用する指示装置である。上記の伝送リソース指示方法の全ての実施例は、いずれも当該指示装置に適用し、同一または類似するメリットを有する。
【００７２】
上記目的をさらに実現するために、図３に示すように、本開示の実施例の伝送リソース指示装置は、プロセッサ１００と、バスインタフェースを介して前記プロセッサ１００に接続され、前記プロセッサによる操作実行に用いられるプログラムとデータを記憶することに用いられるメモリ１２０と、バスインタフェースを介してプロセッサ１００に接続され、制御情報やデータ情報などを送信するトランシーバ１１０を含む。プロセッサは、前記メモリに格納されているプログラムとデータを呼び出して実行すると、Ｎ（２以上の整数であり、伝送リソースの制御情報で指示可能な最大伝送回数を示す。）回の伝送を目標指示ルールに基づいて選択し、選択したＮ回の伝送に対応する同一データパケットのデータ情報のＮ個の伝送リソースを特定することに用いられるリソース特定モジュールと、特定したＮ個の伝送リソースを前記制御情報で送信することに用いられる送信モジュールとを実現する。
【００７３】
ここで、図３において、バスアーキテクチャは、任意数の相互接続するバスとブリッジを含み、具体的に、プロセッサ１００をはじめとする１つ又は複数のプロセッサとメモリ１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１０は、複数の部品であってもよく、即ち送信機と受信機を含み、伝送媒体でほかの各種類の装置と通信するユニットとして提供される。プロセッサ１００は、バスアーキテクチャと通常の処理を管理する。メモリ１２０は、プロセッサ１００による操作実行に用いられるデータを記憶することができる。
【００７４】
プロセッサ１００は、バスアーキテクチャと通常の処理を管理する。メモリ１２０は、プロセッサ１００による操作実行に用いられるデータを記憶することができる。
【００７５】
なお、本開示の実施例の伝送リソース指示装置は、上記実施例の伝送リソース指示装置の実体装置である。上記実施例の伝送リソース指示装置の全ての実施例は、いずれも当該指示装置に適用し、同一または類似するメリットを有する。
【００７６】
以上の記載は、本開示の選択可能の実施例である。なお、当業者にとって、本開示に記載した原理を逸脱することなくいくつかの改良や修飾を行うこともできる。これらの改良や修飾も、本開示の保護範囲として見なされるべきである。
【図１】
2019528608.tif 000003
【図２】
2019528608.tif 000004
【図３】
2019528608.tif 000005
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
Ｎ回の伝送を目標指示ルールに基づいて選択し、選択したＮ回の伝送に対応する同一データパケットのデータ情報のＮ個の伝送リソースを特定することと、
前記特定したＮ個の伝送リソースを制御情報で送信することと
を含み、
Ｎは、２以上の整数であり、伝送リソースの制御情報で指示可能な最大伝送回数を示す伝送リソース指示方法。
【請求項２】
前記Ｎ回の伝送を目標指示ルールに基づいて選択する前に、
１つまたは複数の指示ルールである所定の指示ルールをネットワーク側から受信することと、
前記所定の指示ルールから１つの指示ルールを目標指示ルールとして選択することとをさらに含む請求項１に記載の方法。
【請求項３】
前記所定の指示ルールが複数の指示ルールである場合、前記特定したＮ個の伝送リソースを前記制御情報で送信する際に、
ノードが使用している目標指示ルールを指示することに用いられる指示情報を前記制御情報で送信することをさらに含む請求項２に記載の方法。
【請求項４】
前記データ情報の伝送リソースは、データ情報の時間領域リソースおよびデータ情報の周波数領域リソースを含む請求項１に記載の方法。
【請求項５】
選択した前記Ｎ回の伝送は、現在の伝送を含むＮ回の伝送である請求項１に記載の方法。
【請求項６】
選択した前記Ｎ回の伝送は、現在の伝送、および、現在の伝送から順次連続循環ルールまたは奇数／偶数循環ルールまたは所定の循環ルールで選択したＮ−１回の伝送である請求項１または５に記載の方法。
【請求項７】
前記順次連続循環ルールは、
現在の伝送から伝送回数の番号で順に選択し、最後の伝送が選択されると初回伝送にジャンプし、初回伝送から伝送回数の番号で順に選択する請求項６に記載の方法。
【請求項８】
前記奇数／偶数循環ルールは、
現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択する請求項６に記載の方法。
【請求項９】
前記所定の循環ルールは、
第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択し、
ここで、前記第１ルールは、伝送回数の番号で順に選択し、または、ｍｏｄｕｌｏ  Ｎ１＝Ｍ１の伝送回数の番号で順に選択し、
前記第２ルールは、伝送回数の番号で順に選択し、または、ｍｏｄｕｌｏ  Ｎ２＝Ｍ２の伝送回数の番号で順に選択し、
Ｎ１、Ｎ２、Ｍ１、Ｍ２は、整数であり、かつＮ１＞Ｍ１、Ｎ２＞Ｍ２である請求項６に記載の方法。
【請求項１０】
Ｎ回の伝送を目標指示ルールに基づいて選択し、選択したＮ回の伝送に対応する同一データパケットのデータ情報のＮ個の伝送リソースを特定することに用いられるリソース特定モジュールと、
前記特定したＮ個の伝送リソースを制御情報で送信することに用いられる送信モジュールと
を含み、
Ｎは、２以上の整数であり、伝送リソースの制御情報で指示可能な最大伝送回数を示す伝送リソース指示装置。
【請求項１１】
１つまたは複数の指示ルールである所定の指示ルールをネットワーク側から受信することに用いられる受信モジュールと、
前記所定の指示ルールから１つの指示ルールを目標指示ルールとして選択することに用いられる選択モジュールとをさらに含む請求項１０に記載の装置。
【請求項１２】
前記送信モジュールは、さらに、
前記所定の指示ルールが複数の指示ルールである場合、ノードが使用している目標指示ルールを指示することに用いられる指示情報を前記制御情報で送信することに用いられる請求項１１に記載の装置。
【請求項１３】
前記データ情報の伝送リソースは、データ情報の時間領域リソースおよびデータ情報の周波数領域リソースを含む請求項１０に記載の装置。
【請求項１４】
選択した前記Ｎ回の伝送は、現在の伝送、および、現在の伝送から順次連続循環ルールまたは奇数／偶数循環ルールまたは所定の循環ルールで選択したＮ−１回の伝送である請求項１０に記載の装置。
【請求項１５】
前記順次連続循環ルールは、
現在の伝送から伝送回数の番号で順に選択し、最後の伝送が選択されると初回伝送にジャンプし、初回伝送から伝送回数の番号で順に選択し、
前記奇数／偶数循環ルールは、
現在の伝送から奇数伝送回数の番号または偶数伝送回数の番号で順に選択し、最後の奇数回数の伝送または最後の偶数回数の伝送が選択されると、１つ目の奇数回数の伝送または１つ目の偶数回数の伝送にジャンプし、１つ目の奇数回数の伝送または１つ目の偶数回数の伝送から奇数伝送回数の番号または偶数伝送回数の番号で順に選択し、
前記所定の循環ルールは、
第１ルールで現在の伝送から最後の伝送まで１回または複数回の伝送を選択し、第１ルールを満たす最後の伝送が選択されると、第２ルールを満たす最初の伝送にジャンプし、第２ルールを満たす最初の伝送から第２ルールで１回または複数回の伝送を選択し、
ここで、前記第１ルールは、伝送回数の番号で順に選択し、または、ｍｏｄｕｌｏ  Ｎ１＝Ｍ１の伝送回数の番号で順に選択し、
前記第２ルールは、伝送回数の番号で順に選択し、または、ｍｏｄｕｌｏ  Ｎ２＝Ｍ２の伝送回数の番号で順に選択し、
Ｎ１、Ｎ２、Ｍ１、Ｍ２は、整数であり、かつＮ１＞Ｍ１、Ｎ２＞Ｍ２である請求項１４に記載の装置。
【国際調査報告】
2019528608.tif 000006
2019528608.tif 000007
2019528608.tif 000008
2019528608.tif 000009